(57)【特許請求の範囲】
【請求項１】
車両の回生ブレーキ装置を運転するための操作装置による方法であって、
前記操作装置が、
ブレーキ装置のジェネレータのジェネレータブレーキトルク（Ｍ＿ｇｅｎ）がゼロに等しくなく、しかも車両の運転者および／または自動速度制御装置によってプリセットされた目標全ブレーキトルクの第１のブレーキモードのためにプリセットされた第１の回生部分に等しい第１のブレーキモードでブレーキ装置を運転するステップと、
前記ブレーキ装置を前記第１のブレーキモードから前記第１の回生部分よりも小さい第２の回生部分を有する第２のブレーキモードへ制御し、このために前記ブレーキ装置のブレーキ液圧送装置をブレーキ液が制御された前記ブレーキ液圧送装置によって前記ブレーキ装置のリザーバからホイールブレーキシリンダへおよび／または前記ブレーキ装置のブレーキ回路へポンプ供給されるように制御するステップと
を有している方法において、
前記ブレーキ液圧送装置を時間的に増大する目標圧力上昇を有する目標ブレーキ圧（ｐ＿ｓｏｌｌ）のために設定またはプリセットされた目標圧送量値（ｎ＿ｓｏｌｌ）によって制御するステップと、
制御された前記ブレーキ液圧送装置によって、時間的に増大する実際圧力上昇を有する実際ブレーキ圧（ｐ＿ｉｓｔ）を前記ホイールブレーキシリンダおよび／または前記ブレーキ回路内に形成するステップとを有しており、
時間的に一定な目標回転数（ｎ＿ｓｏｌｌ）および／または時間的に一定な運転電流を目標圧送量値（ｎ＿ｓｏｌｌ）として、前記ブレーキ液圧送装置としてのポンプに供給する
ことを特徴とする車両の回生ブレーキ装置を運転するための方法。
【請求項２】
設定またはプリセットされた前記目標圧送量値（ｎ＿ｓｏｌｌ）による前記ブレーキ液圧送装置を制御する場合、
目標全ブレーキトルクを考慮し、かつ前記ホイールブレーキシリンダおよび／または前記ブレーキ回路内で形成された液圧的なブレーキ圧に関連した値を考慮して前記ジェネレータの目標ジェネレータブレーキトルクを設定し、それに応じて前記ジェネレータのジェネレータブレーキトルク（Ｍ＿ｇｅｎ）を調節する
請求項１に記載の方法。
【請求項３】
初期回転数から出発して時間的に一次関数的に目標回転数まで上昇する目標回転数（ｎ＿ｓｏｌｌ）および／または初期運転電流から出発して時間的に一次関数的に目標運転電流まで上昇する運転電流を目標圧送量値（ｎ＿ｓｏｌｌ）として、前記ブレーキ液圧送装置としてのポンプに供給する
請求項１または２に記載の方法。
【請求項４】
設定またはプリセットされた前記目標圧送量値（ｎ＿ｓｏｌｌ）による少なくとも１つの前記ブレーキ液圧送装置の制御中に、前記ジェネレータのジェネレータブレーキトルク（Ｍ＿ｇｅｎ）を、勾配が時間的に増大する、設定またはプリセットされた負の勾配で減少させる
請求項１から３のいずれか１項に記載の方法。
【請求項５】
設定またはプリセットされた前記目標圧送量値（ｎ＿ｓｏｌｌ）による少なくとも１つの前記ブレーキ液圧送装置の制御中に、前記ジェネレータのジェネレータブレーキトルク（Ｍ＿ｇｅｎ）を、勾配が時間的に増大する負の勾配で、前記ジェネレータブレーキトルク（Ｍ＿ｇｅｎ）の時間的な変化が逆行的に減少するブレーキトルクグラフ（Ｍ＿ｇｅｎ）に相当するように、減少させる
請求項４に記載の方法。
【請求項６】
上昇する圧力上昇グラフ（ｐ＿ｓｏｌｌ）に相当する前記目標圧送量値（ｎ＿ｓｏｌｌ）を、時間的に増大する目標圧力上昇を有する目標ブレーキ圧（ｐ＿ｓｏｌｌ）として設定またはプリセットする
請求項１から５のいずれか１項に記載の方法。
【請求項７】
前記ブレーキ装置を、前記第１の回生部分が１００％に等しい前記第１のブレーキモードとしての全回生ブレーキモードで運転する
請求項１から６のいずれか１項に記載の方法。
【請求項８】
前記ブレーキ装置の、前記第１の運転モードから前記第２の運転モードへの制御中に、前記ジェネレータブレーキトルク（Ｍ＿ｇｅｎ）をゼロに減少させ、次いで前記ブレーキ装置を、前記第２の回生部分が０％に等しい前記第２のブレーキモードとしての全液圧ブレーキモードで運転する
請求項１から７のいずれか１項に記載の方法。
【請求項９】
車両の回生ブレーキ装置のための操作装置（１０）であって、
制御装置（１２）を有しており、
該制御装置（１２）によってジェネレータ制御信号（１４）がブレーキ装置のジェネレータにアウトプット可能、かつブレーキ液圧送装置制御信号（１６）がブレーキ装置のブレーキ液圧送装置にアウトプット可能であり、それによって、前記ブレーキ装置が第１のブレーキモードに制御可能であり、
該第１のブレーキモードにおいて、
前記ジェネレータ制御信号（１４）によってジェネレータのジェネレータブレーキトルク（Ｍ＿ｇｅｎ）がゼロに等しくなく、しかも車両の運転者および／または自動速度制御装置によってプリセットされた目標全ブレーキトルクの、前記第１のブレーキモードのためにプリセットされた第１の回生部分に等しくなるように調節可能であって、
前記ブレーキ装置が、
前記第１のブレーキモードから前記第１の回生部分より小さい第２の回生部分を有する第２のブレーキモードへ制御可能であり、このために前記ブレーキ液圧送装置がブレーキ液圧送装置制御信号（１６）によって制御され、それによってブレーキ液が前記ブレーキ液圧送装置によって前記ブレーキ装置のリザーバからホイールシリンダへおよび／またはブレーキ装置のブレーキ回路へポンプ供給可能である車両の回生ブレーキ装置のための操作装置（１０）において、
前記ブレーキ液圧送装置制御信号（１６）によって、時間的に増大する目標圧力上昇を有する目標ブレーキ圧（ｐ＿ｓｏｌｌ）のために設定またはプリセットされた目標圧送量値（ｎ＿ｓｏｌｌ）が、前記ブレーキ液圧送装置にアウトプット可能であり、したがって前記ブレーキ液圧送装置制御信号（１６）によって制御された前記ブレーキ液圧送装置によって、時間的に増大する実際圧力上昇を有する実際ブレーキ圧（ｐ＿ｉｓｔ）が前記ホイールブレーキシリンダ内および／または前記ブレーキ回路内に形成可能であり、
時間的に一定な目標回転数（ｎ＿ｓｏｌｌ）および／または時間的に一定な運転電流を目標圧送量値（ｎ＿ｓｏｌｌ）として、前記ブレーキ液圧送装置としてのポンプに供給する
ことを特徴とする車両の回生ブレーキ装置のための操作装置（１０）。
【請求項１０】
設定またはプリセットされた前記目標圧送量値（ｎ＿ｓｏｌｌ）による前記ブレーキ液圧送装置の制御中に、前記ジェネレータの目標ジェネレータブレーキトルクが、前記目標全ブレーキトルクを考慮し、かつ前記ホイールブレーキシリンダ内および／または前記ブレーキ回路内に形成された液圧のブレーキ圧を考慮して設定可能であり、前記ジェネレータ制御信号（１４）によって前記ジェネレータブレーキトルク（Ｍ＿ｇｅｎ）が、設定された前記目標ジェネレータブレーキトルクに応じて調節可能である
請求項９に記載の操作装置（１０）。
【請求項１１】
前記ブレーキ液圧送装置制御信号（１６）によって、時間的に一定な目標回転数（ｎ＿ｓｏｌｌ）および／または時間的に一定な運転電流が目標圧送量値（ｎ＿ｓｏｌｌ）として、少なくとも１つの前記ブレーキ液圧送装置としてのポンプにアウトプット可能である
請求項９又は１０に記載の操作装置（１０）。
【請求項１２】
前記ブレーキ液圧送装置制御信号（１６）によって、初期回転数から出発して時間的に一次関数的に目標回転数まで上昇する目標回転数（ｎ＿ｓｏｌｌ）および／または初期運転電流から出発して時間的に一次関数的に目標運転電流まで上昇する運転電流が目標圧送量値（ｎ＿ｓｏｌｌ）として、前記ブレーキ液圧送装置としてのポンプにアウトプット可能である
請求項９又は１０に記載の操作装置（１０）。
【請求項１３】
設定またはプリセットされた前記目標圧送量値（ｎ＿ｓｏｌｌ）による前記ブレーキ液圧送装置の制御中に、前記ジェネレータブレーキトルク（Ｍ＿ｇｅｎ）が、勾配が時間的に増大する、設定またはプリセットされた負の勾配で減少可能となるように、前記ジェネレータが前記ジェネレータ制御信号（１４）によって制御可能である
請求項９〜１２のいずれか１項に記載の操作装置（１０）。
【請求項１４】
車両のための回生ブレーキ装置において、請求項９〜１３のいずれか１項に記載の操作装置（１０）を有する
ことを特徴とする車両のための回生ブレーキ装置。
【発明の詳細な説明】
【技術分野】
【０００１】
本発明は、車両の回生ブレーキ装置を運転するための方法に関する。また本発明は、車両の回生ブレーキ装置のための操作装置に関する。
【背景技術】
【０００２】
特許文献１には、ジェネレータを装備することができる車両のためのブレーキ装置について記載されている。図１は、ジェネレータを備えたこのような形式のブレーキ装置の従来の運転形式を説明するための座標系を示す。図１の座標系の横座標は時間軸ｔである。
【０００３】
時点ｔ０′から、従来の運転形式にしたがって制動された車両の運転者が、ブレーキ操作エレメント例えばブレーキペダルを操作する。したがって、ブレーキ操作エレメントにより移動されるブレーキ操作ストロークｓ（ｍｍ）は、初期ブレーキ操作ストロークｓ０から出発して時点ｔ０′から増大する。初期ブレーキ操作ストロークｓ０は例えばゼロに等しい。
【０００４】
時点ｔ０′と時点ｔ１′との間（時間間隔Ａ′）で、まず初期速度ｖ０に等しい車両速度ｖ（ｍ／ｓ）で走行する車両は、純粋・回生ブレーキによって制動される。このために、時点ｔ０′と時点ｔ１′との間で、初期ブレーキ操作ストロークｓ０に等しくないブレーキ操作ストロークｓにも拘わらず、車両の少なくとも１つのブレーキ回路内でのブレーキ圧上昇は阻止される。これは例えば、マスタブレーキシリンダから移送されたブレーキ液を少なくとも１つのリザーバ内に一時貯蔵することによって行われる。しかも、ジェネレータは、時点ｔ０′と時点ｔ１′との間で、ゼロに等しくない（好適にはブレーキ操作ストロークｓに相当する）ジェネレータ・ブレーキトルクＭ＿ｇｅｎ（Ｎｍ）が車両の少なくとも１つのホイールに加えられるように、制御される。
【０００５】
もちろん、ジェネレータを保護するために、一般的に、加えられたジェネレータ・ブレーキトルクＭ＿ｇｅｎを、車両停止状態の前にゼロに減少させる必要がある。このために、図１に示されたブレーキ装置の従来の運転形式において、時点ｔ１′と時点ｔ２′との間（時間間隔Ｂ′）で、ジェネレータに時間的に（ほぼ）一次関数的に減少する（図示していない）目標・ジェネレータ・ブレーキトルクがプリセットされる。ジェネレータ・ブレーキトルクＭ＿ｇｅｎの減少に基づいて省略されたジェネレータの制動作用を補うために、時点ｔ１′と時点ｔ２′との間に（ほぼ）一次関数的に上昇する目標・ブレーキ圧／目標圧ｐ＿ｓｏｌｌ（ｂａｒ）（初期ブレーキ圧ｐ０から出発して）が、ブレーキ装置の少なくとも１つのブレーキ回路および／または少なくとも１つのホイールブレーキシリンダ内に形成されなければならない。このために一般的な形式で少なくとも１つのポンプが使用され、このポンプによって、時点ｔ１′と時点ｔ２′との間にブレーキ液がブレーキ装置の少なくとも１つのリザーバから少なくとも１つのホイールブレーキシリンダ内へおよび／または少なくとも１つのブレーキ回路内へポンプ供給される。
【０００６】
少なくとも１つのホイールブレーキシリンダ内および／または少なくとも１つのブレーキ回路内でのブレーキ圧上昇の開始時に、まず液圧式のブレーキ装置のデッドボリュームを頻繁に克服しなければならない。しかも、ブレーキ装置は、少なくとも１つのブレーキ回路内に比較的低いブレーキ圧が存在する場合、しばしば比較的高い弾性を有している。したがって、ブレーキ装置内でのブレーキ圧上昇の開始時において、一般的に圧力増大に対して比較的大きいブレーキ液体積を、少なくとも１つのブレーキ回路内および／または少なくとも１つのホイールブレーキシリンダ内へ移送／ポンプ供給する必要がある。
【０００７】
プリセットされた目標・ブレーキ圧／目標圧ｐ＿ｓｏｌｌに相当する実際・ブレーキ圧ｐ＿ｉｓｔ（ｂａｒ）を生ぜしめるために、少なくとも１つのポンプが、ブレーキ圧上昇の開始段階が存在する、時点ｔ１′と時点ｔ２′との間で、比較的大きいブレーキ液体積を少なくとも１つのブレーキ回路内へおよび／または少なくとも１つのホイールブレーキシリンダ内へポンプ供給する必要がある。図１で分かるように、これによって比較的大きい目標・回転数ｎ＿ｓｏｌｌ（１／分）が少なくとも１つのポンプによって実行されて、目標・ブレーキ圧ｐ＿ｓｏｌｌに近づけられた実際・ブレーキ圧ｐ＿ｉｓｔが少なくとも１つのホイールブレーキシリンダ内および／または少なくとも１つのブレーキ回路内で生ぜしめられる。時点ｔ１ａ′と時点ｔ１ｂ′との間においても、少なくとも１つのポンプによって実行しようとする目標・回転数ｎ＿ｓｏｌｌは比較的大きい。目標・回転数ｎ＿ｓｏｌは、例えば時点ｔ１′と時点ｔ１ａ′との間および／または時点ｔ１ａ′と時点ｔ１ｂ′との間で、１０００回転／分以上、特に１５００回転／分以上である。このことはつまり、少なくとも１つのポンプのためのポンプ出力が比較的大きいということである。ブレーキ装置の体積・圧力特性曲線の一次関数的な範囲が得られる、時点ｔ１ｂ′とｔ２′との間で初めて、目標・回転数ｎ＿ｓｏｌｌは定常の値に減衰する。
【先行技術文献】
【特許文献】
【０００８】
【特許文献１】ドイツ連邦共和国特許公開第１０２００９００１４０１号明細書
【発明の概要】
【発明が解決しようとする課題】
【０００９】
本発明の課題は、車両の回生ブレーキ装置を運転するための改良された方法、および車両の回生ブレーキ装置のための改良された操作装置を提供することである。
【課題を解決するための手段】
【００１０】
本発明によれば、請求項１に記載した特徴を有する車両の回生ブレーキ装置を運転するための方法、請求項１０に記載した特徴を有する車両の回生ブレーキ装置のための操作装置、並びに請求項１５に記載した特徴を有する車両のための回生ブレーキ装置が提供されている。
【発明の効果】
【００１１】
本発明は、ブレーキ装置を第１のブレーキモードから第２のブレーキモードへ操作する際に、省略されたジェネレータ・制動作用を補正するために、比較的低い圧送回転数を有する少なくとも１つのブレーキ液圧送装置を作動させるだけで、少なくとも１つのブレーキ回路および／または少なくとも１つのホイールブレーキシリンダ内のブレーキ圧を上昇させることができる。比較的低い圧送回転数例えば低いポンプ回転数を有する少なくとも１つのブレーキ液圧送装置を作動させることに基づいて、低騒音および低振動の圧力上昇が実現可能である。これによって、圧力上昇中にブレーキ液圧送装置の騒音負荷および／または振動負荷を遮断するために、搭乗者を遮蔽するための防音手段を車両に設ける必要はない。さらに、少なくとも１つのブレーキ液圧送装置の実行された圧送回転数は、本発明によれば、遮断された／低い騒音に関連して、また所望の高い動力学的要求および効果要求に関連して、最適化される。
【００１２】
しかも本発明によって実行可能な、少なくとも１つのブレーキ回路／ホイールブレーキシリンダ内における実際・ブレーキ圧は、比較短い時間間隔内で実行可能であるので、純粋な回生ブレーキ段階を中断する時点を延期することができる。本発明によって実行可能な、車両の比較的長い回生制動によって、有利にも高い回生効果が得られる。
【００１３】
以下に詳しく記載されているように、本発明によれば、均一な減速経過も実現可能である。特に回生減速は、優勢的な液圧減速に応じて調整することができる。
【００１４】
本発明による方法の好適な実施態様によれば、設定またはプリセットされた目標・圧送量値による少なくとも１つの前記ブレーキ液圧送装置の制御中に、ジェネレータの目標・ジェネレータ・ブレーキトルクが、目標・全ブレーキトルクを考慮し、かつ少なくとも１つのホイールブレーキシリンダおよび／または少なくとも１つのブレーキ回路内で形成された液圧的なブレーキ圧に関連した値を考慮して設定される。次いで、それに応じてジェネレータのジェネレータ・ブレーキトルクが調節される。これによって、運転されたブレーキ装置の液圧式の構成要素の特性に対して高いダイナミックスおよびジェネレータの良好な調節可能性を、目標・全ブレーキトルクを確実に維持するために利用することができる。特にこのような形式で、比較的低いポンプ回転数、特に一定な低いポンプ回転数で、省略されたジェネレータ・制動作用を所望に消費するために、少なくとも１つのブレーキ回路内および／または少なくとも１つのホイールブレーキシリンダ内で液圧を体積的に増大させることができる。この場合、ジェネレータは簡単な形式で、既に形成されているブレーキ圧に応じて若しくはこのような形式で作用する液圧のブレーキトルクに応じてジェネレータ・ブレーキトルクが減少されるように、制御／調整される。
【００１５】
例えば、時間的に一定な目標・回転数および／または時間的に一定な運転電流が、目標・圧送量値として、少なくとも１つのブレーキ液圧送装置としての少なくとも１つのポンプに供給される。これによって、本発明は、特に、このために克服すべきエアギャップ／公差が存在するにも拘わらず、またブレーキ圧上昇の開始時におけるブレーキ装置の高い弾性にも拘わらず、一定なポンプ回転数を有する少なくとも１つのポンプを作動させることによって、有利な実際・ブレーキ圧を形成することができる。この場合、一定に維持することができるポンプ回転数は、騒音／振動の発生が確実に遮断されるように設定することができる。
【００１６】
選択的な実施態様として、初期・回転数から出発して時間的に一次関数的に目標・回転数まで上昇する目標・回転数および／または初期・運転電流から出発して時間的に一次関数的に目標・運転電流まで上昇する運転電流を、目標・圧送量値として、少なくとも１つのブレーキ液圧送装置としての少なくとも１つのポンプに供給するようにしてもよい。これによって、省略されたジェネレータ・制動作用を消費するための所望の実際・ブレーキ圧を得るために、始動時において最適化された制御プロフィールを少なくとも１つのポンプによって実行／模倣することもできる。
【００１７】
好適な形式で、設定またはプリセットされた目標・圧送量値による少なくとも１つのブレーキ液圧送装置の制御中に、ジェネレータのジェネレータ・ブレーキトルクは、勾配が時間的に増大する、設定またはプリセットされた負の勾配で減少せしめられる。これによって、ジェネレータ・ブレーキトルクの時間的な減少は、実行された実際ブレーキ圧によって生ぜしめられた、少なくとも１つのホイールブレーキシリンダの液圧のブレーキトルクの時間的な上昇に、好適に適合される。
【００１８】
好適な実施態様によれば、設定またはプリセットされた目標・圧送量値による少なくとも１つのブレーキ液圧送装置の制御中に、ジェネレータのジェネレータ・ブレーキトルクが、勾配が時間的に増大する負の勾配で、ジェネレータ・ブレーキトルクの時間的な変化が逆行的に減少するブレーキトルク・グラフに相当するように、減少せしめられる。さらに、プログレッシブに上昇する圧力上昇・グラフに相当する目標・圧送量値は、時間的に増大する目標・圧力上昇を有する目標・ブレーキ圧として設定またはプリセットされる。これによって、実際・ブレーキ圧の時間的な増大と、ジェネレータ・ブレーキトルクの時間的な減少とは、容易に実行可能な方法ステップによって、好適な形式で互いに適合せしめられる。これによって、消費が実行されたにも拘わらず、プリセットされた目標・全ブレーキトルクを確実に維持することが保証される。
【００１９】
例えば、このブレーキ装置は、第１の回生・部分が１００％に等しい第１のブレーキモードとしての全・回生ブレーキモードで運転することができる。さらに、ブレーキ装置の、第１の運転モードから第２の運転モードへの制御中に、前記ジェネレータ・ブレーキトルクはゼロに減少され、次いで前記ブレーキ装置は、第２の回生・部分が０％に等しい第２のブレーキモードとしての全・液圧ブレーキモードで運転される。これによって、本発明は、プリセットされた目標・全ブレーキトルクが確実に維持されると同時に、全・回生ブレーキモードから全・液圧ブレーキモードへの好適な移行が可能である。
【００２０】
以上述べた利点は、車両の回生ブレーキ装置のための、以上のような形式の操作装置においても確実に保証される。
【００２１】
さらに、上記利点は、対応する操作装置を備えた回生ブレーキ装置によっても得ることができる。
【００２２】
本発明のその他の特徴および利点を、以下に図面を用いて説明する。
【図面の簡単な説明】
【００２３】
【図１】ジェネレータを有するブレーキ装置の、従来の運転形式を説明するための座標系である。
【図２ａ】車両の回生ブレーキ装置を運転するための方法を説明するための座標系である。
【図２ｂ】車両の回生ブレーキ装置を運転するための方法を説明するための座標系である。
【図３】操作装置の実施例の概略図である。
【発明を実施するための形態】
【００２４】
図２ａおよび図２ｂは、車両の液圧ブレーキ装置を運転するための方法を説明するための座標系を示す。
【００２５】
図２ａを用いて概略的に示された方法は、種々異なる型式の多くのブレーキ装置によって実行可能である。したがって、この方法の実行可能性は、このために用いられたブレーキ装置の特定の構成に限定されるものではない。図２ｂの座標系には、特に、この方法を実行するために特に有利であるブレーキ装置の圧力・体積特性曲線ｋだけが示されている。しかしながらこの方法の実行可能性は、このために利用されたブレーキ装置の、このような形式の圧力・体積特性曲線ｋに限定されるものではない。
【００２６】
図２ｂは、後述されている方法の利用／実行のために特に有利である回生ブレーキ装置の圧力・体積特性曲線ｋを示す。図２ｂの座標系の縦座標は、ブレーキ液体積Ｖ（立方センチメートル／ｃｍ３）を示す。このブレーキ液体積Ｖは、マスタブレーキシリンダおよび／またはリザーバ、例えばブレーキ液リザーバおよび／またはブレーキ回路内部のリザーブチャンバ（例えば低圧リザーブチャンバ）から、少なくとも１つのブレーキ回路内および／または少なくとも１つの、ブレーキ回路に接続されたホイールブレーキシリンダ内のブレーキ圧ｐｂを上昇させるために、回生ブレーキ装置の少なくとも１つのブレーキ回路内に移送せしめられる。図２ｂの座標系の横座標は、結果として得られたブレーキ圧ｐｂ（ｂａｒ）に相当する。
【００２７】
図２ｂの座標系の圧力・体積特性曲線ｋを用いて、所望のブレーキ圧上昇時に、ブレーキ圧ｐｂが、例えば（ほぼ）雰囲気圧に等しい初期・ブレーキ圧ｐ０と等しくなくなる前に、まずいわゆるデッドボリュームＶｔが少なくとも１つのブレーキ回路に移動されなければならないことが分かる。この移動させるべきデッドボリュームＶｔは、大抵はブレーキ装置の公差およびエアギャップを克服するために必要である。したがって、移動させられるブレーキ液体積Ｖにおいて、ゼロとデッドボリュームＶｔとの間に、初期・ブレーキ圧ｐ０に（ほぼ）等しいブレーキ圧ｐｂが常に存在する。
【００２８】
ブレーキ液体積ＶをデッドボリュームＶｔと限界体積Ｖｇとの間で移動させることによって、移動したブレーキ液量に関連して比較的僅かなブレーキ圧上昇が得られる。これは、ブレーキ装置が、比較的低いブレーキ圧ｐｂにおいてしばしば小さい体積・圧力・伝達比を有することに起因する。これは言い換えれば、ブレーキ装置が、少なくとも１つのブレーキ回路内に比較的低いブレーキ圧ｐｂが存在するときに、しばしば比較的高い弾性を有しているということである。したがって、ブレーキ圧上昇時においてブレーキ装置の初期領域が「柔軟」であるということでもある。少なくとも１つのブレーキ回路内に移動せしめられたブレーキ液体積Ｖが限界体積Ｖｇになってから、移動せしめられたブレーキ液体積Ｖがさらに増大すると、ブレーキ圧ｐｂはより迅速に上昇せしめられる。
【００２９】
しかしながら以下に記載した方法によって、図２ｂに示された圧力・体積特性曲線ｋの特性にも拘わらず、時間的に縮小されたジェネレータ・ブレーキトルクＭ＿ｇｅｎの有利な消費を実行することができる。この方法を、以下に図２ａの座標系を参照して説明する。図２ａの横座標は時間軸ｔである。
【００３０】
車両が初期速度ｖ０に等しい車両速度ｖ（ｍ／ｓ）で走行する時点ｔ０から、ここに記載した方法を用いて制動される車両の運転者が、ブレーキ操作エレメント例えばブレーキペダルを操作する。これによって、時点ｔ０からブレーキ操作ストロークｓ（ｍｍ）が増大する。このブレーキ操作ストロークｓの分だけ、ブレーキ操作エレメントがその（操作されない）初期位置から移動せしめられる。（時点ｔ０の前では、操作ストロークｓは初期ブレーキ操作ストロークｓ０、有利にはゼロと（ほぼ）同じである。）
【００３１】
時点ｔ０とｔ１との間（時間間隔Ａ）において、ブレーキ装置を第１のブレーキモードで運転するための比較的高い初期速度ｖ０が用いられる。この第１のブレーキモードにおいて、車両を制動させるために、ブレーキ装置のジェネレータの、ゼロに等しくないジェネレータ・ブレーキトルクＭ＿ｇｅｎ（Ｎｍ）が使用される。車両の少なくとも１つのホイールおよび／または少なくとも１つのアクスルに加えられたジェネレータ・ブレーキトルクＭ＿ｇｅｎは、運転者（若しくは自動速度制御装置）によってプリセットされた目標・全ブレーキトルクの、第１のブレーキモードのためにプリセットされた第１の回生・部分に等しい。図２ａに示されているように、ジェネレータ・ブレーキトルクＭ＿ｇｅｎは、ブレーキ操作エレメントのブレーキ操作ストロークｓに関連しており、例えばブレーキ操作ストロークｓに比例している。有利な形式でブレーキ装置は、時点ｔ０と時点ｔ１との間で第１のブレーキモードとして全・回生ブレーキモードで運転される。この全・回生ブレーキモードにおいて、第１の回生・部分は１００％に等しい。この場合、ジェネレータ・ブレーキトルクＭ＿ｇｅｎは、運転者（若しくは自動速度制御装置）によって要求された目標・全ブレーキトルクに相当する。
【００３２】
第１のブレーキモードとしての全・回生ブレーキモードにおける回生ブレーキ装置の開始時の運転は、回収された電気エネルギの比較的多くをバッテリーに蓄電することができる、という利点を伴う。この回収されたエネルギは、例えば車両を新たに加速するために後で利用することができる。したがって、ここに記載された方法の好適な実施例は、車両のエネルギ消費および／または有害物質発生を著しく低減させることができる。しかしながら、ここに記載された方法の実行可能性は、第１のブレーキモードとしての全・回生ブレーキモードの実行に限定されるものではない、ということを指摘しておく。
【００３３】
ここに記載した方法の好適な実施例によれば、マスタブレーキシリンダから移送されたブレーキ液が少なくとも１つのリザーバ例えば低圧リザーブチャンバ内に一時貯蔵されることによって、時点ｔ０と時点ｔ１との間で、ブレーキ操作ストロークｓが初期操作ストロークｓ０と等しくないにも拘わらず車両の少なくとも１つのブレーキ回路内でのブレーキ圧上昇は避けられる。このような形式によって、時点ｔ０と時点ｔ１との間で、少なくとも１つのブレーキ回路内において初期・ブレーキ圧ｐ０が（ほぼ）維持される。しかしながら、この方法ステップの実行可能性は選択的である。
【００３４】
ここに記載された方法の実行可能性は、使用されたジェネレータの特定の型式に限定されるものではない。ジェネレータとして、例えば車両を電気的に運転するために使用される電動モータを使用してもよい。
【００３５】
一般的に、車両の制動時にジェネレータを保護するために、ジェネレータ・ブレーキトルクＭ＿ｇｅｎを車両停止状態の前にゼロに減少させれば、有利である。それと同時に、ジェネレータ・ブレーキトルクＭ＿ｇｅｎの減少にも拘わらず、運転者（若しくは自動速度制御装置）によって要求された目標・全ブレーキトルクを（ほぼ）維持することが望まれている。したがって、運転者のための制動快適性を保証するために、減少されたジェネレータ・ブレーキトルクＭ＿ｇｅｎが少なくとも部分的にブレーキ装置の少なくとも１つのホイールブレーキシリンダの液圧ブレーキトルクによって補正されるようになっていれば、有利である。
【００３６】
ここに記載した方法において、ブレーキ装置は時点ｔ１と時点ｔ２との間（時間間隔Ｂ）で、第１のブレーキモードから、第１の回生・部分よりも小さい第２の回生・部分を有する第２のブレーキモードに制御される。特に、ジェネレータ・ブレーキトルクＭ＿ｇｅｎは、第１のブレーキモードから第２のブレーキモードへのブレーキ装置の制御中にゼロに減少される。次いで、ブレーキ装置は全・液圧ブレーキモードにおいて第２のブレーキモードとして運転される。この第２のブレーキモードにおいて第２の回生・部分は０％に等しい。しかしながら以下に記載する方法は、第２のブレーキモードにおける回生・部分の、以上のような著しい減少に限定されるものではない。
【００３７】
ブレーキ装置を第１のブレーキモードから第２のブレーキモードへ移行させるために、少なくとも１つのポンプがブレーキ装置のブレーキ液圧送装置として制御され、ブレーキ液が少なくとも１つの制御されたポンプによりブレーキ装置のリザーバからブレーキ装置の少なくとも１つのブレーキ回路および／または少なくとも１つのホイールブレーキシリンダへポンプ供給される。このために制御される少なくとも１つのポンプは、例えば少なくとも１つのブレーキ回路内に配置されたポンプ、特にピストンポンプであってよい。このピストンポンプによって、ブレーキ液が、少なくとも１つの所属のブレーキ回路のリザーブチャンバ（例えば低圧リザーブチャンバ）から、少なくとも１つのワイヤ接続されたホイールブレーキシリンダへ向かってポンプ供給可能である。少なくとも１つのピストンポンプを利用することによって、このポンプ型式において圧送体積流量がポンプ回転数に比例するという利点が得られる。しかしながらこの方法の実行可能性は、このために用いられたポンプおよび／またはリザーバの特定の型式に限定されるものではない。ブレーキ液圧送装置として、圧力を上昇させるための別の可能性、例えば少なくとも１つの弁および／または蓄圧器を使用してもよい。
【００３８】
時点ｔ１と時点ｔ２との間で少なくとも１つのブレーキ液圧送装置を制御することは、時間的に増大する目標・圧力上昇を有する目標・ブレーキ圧ｐ＿ｓｏｌｌ（ｂａｒ）のために設定またはプリセットされたポンプ出力値によって行われる。図２ａは、時点ｔ１と時点ｔ２との間で時間的に増大する目標・圧力上昇を有する、少なくとも１つのブレーキ液圧送装置を制御するために設定された目標・ブレーキ圧ｐ＿ｓｏｌｌを示す。この目標・圧力上昇を考慮して、目標・圧送量値が設定可能またはプリセット可能である。目標・圧送量値は、例えば目標・回転数ｎ＿ｓｏｌｌ（回転数／分）および／または少なくとも１つのポンプの供給された運転電流であってよい。図２ａには、目標・回転数ｎ＿ｓｏｌｌは少なくとも１つの目標・圧送量値として示されている。しかし、少なくとも１つのポンプの制御は、このような形式の目標・パラメータを使用することに限定されるものではないことを指摘しておく。
【００３９】
前記段落において記載した有利な制御によって、時点ｔ１と時点ｔ２との間に、少なくとも１つの制御されたポンプによって、時間的に増大する実際・圧力上昇を有する（図示していない）実際・ブレーキ圧が、少なくとも１つのホイールブレーキシリンダ内および／または少なくとも１つのブレーキ回路内に生ぜしめられる。（時間的に増大する実際・圧力上昇を有する実際・ブレーキ圧は、ここに記載した方法において特に図２ａに示した目標・ブレーキ圧ｐ＿ｓｏｌｌであってよい。）したがって、少なくとも１つのポンプを制御することによって、少なくとも１つのポンプによって実行されたポンプ回転数／ポンプ出力に応じて体積流量が少なくとも１つのブレーキ回路内に圧送され、このブレーキ回路の体積増加は時間的に増大する。このような形式で得られたブレーキ圧上昇によって、少なくとも１つのホイールブレーキシリンダの液圧式のブレーキトルクの時間的に増大する実際・ブレーキトルク上昇も生ぜしめられる。
【００４０】
少なくとも１つのポンプを制御する前に、時間的に増大する目標・圧力上昇を有する目標・ブレーキ圧ｐ＿ｓｏｌｌは直接的に設定することができる。直接的な設定の代わりに、時間的に増大する目標・圧力上昇を有する目標・ブレーキ圧ｐ＿ｓｏｌｌは、少なくとも１つのポンプによって時点ｔ１と時点ｔ２との間で実行されるポンプ出力値の設定／プリセットを介して間接的に、プリセットされてもよい。
【００４１】
時間的に増大する目標・圧力上昇を有する目標・ブレーキ圧ｐ＿ｓｏｌｌとは、次のような圧力、つまり時点ｔ１と時点ｔ２との間の時間微分が増大している圧力のことである。時間的に増大する目標・圧力上昇を有する目標・ブレーキ圧ｐ＿ｓｏｌｌの時間微分の増大は、時点ｔ１と時点ｔ２との間で特に一次関数的である。したがって、時間的に増大する目標・圧力上昇を有する目標・ブレーキ圧ｐ＿ｓｏｌｌとは、時点ｔ１と時点ｔ２との間でプログレッシブ（漸進的）に上昇／増大する（液圧）目標・ブレーキ圧ｐ＿ｓｏｌｌのことである。相応に、時間的に増大する実際・圧力上昇を有する実際・ブレーキ圧も、時点ｔ１と時点ｔ２との間でプログレッシブに上昇／増大する（液圧）目標・ブレーキ圧ｐ＿ｓｏｌｌであると言い換えることができる。
【００４２】
時点ｔ１と時点ｔ２との間で実行される方法ステップは、体積的なブレーキ圧上昇と言い換えることができる。体積的なブレーキ圧上昇によって、有効なブレーキ圧ｐｂ自体は、ブレーキ装置内において、図２ｂに示した「遅延された」圧力・体積特性曲線ｋと比較可能な形式で迅速に上昇せしめられることを指摘しておく。それと同時に、体積的なブレーキ圧上昇によって、少なくとも１つのホイールブレーキシリンダの液圧式のブレーキトルクが上昇せしめられ、それによって、ジェネレータ・ブレーキトルクＭ＿ｇｅｎの減少中に、運転者（若しくは自動速度制御装置）によって望まれた制動希望が確実に／完全に守られる。
【００４３】
さらに、特に時点ｔ１と時点ｔ１ａとの間のブレーキ圧上昇段階の開始時における、時間的に増大する目標・圧力上昇を有する目標・ブレーキ圧ｐ＿ｓｏｌｌの直接的または間接的な設定／プリセットによって、少なくとも１つの使用されたポンプが強く負荷されることは避けられる。したがって、ブレーキ装置のデッドボリュームＶｔの克服中に、要求された急激なブレーキ圧上昇を、少なくとも１つのポンプの比較的高いポンプ出力／ポンプ回転数によってもたらす必要はない。その代わり、少なくとも１つのポンプを比較的低い回転数で作動させるだけで十分である。したがって、ここに記載した方法を用いることによって、少なくとも１つのポンプの損傷リスクは減少される。
【００４４】
少なくとも１つのポンプは、ここに記載した方法の有利な制御に基づいて、時点ｔ１と時点ｔ２との間において要求された迅速な液圧ブレーキ圧上昇を、次のようにして、つまり、少なくとも１つのポンプが、全・回生ブレーキモードから全・液圧ブレーキモードへの移行中に、１５００回転／分以下、特に１０００回転／分以下、有利には８００回転／分以下の回転数で作業するようにしても、満たすことができる。図１に記載した時間間隔Ｂ′と、これとは異なる図２ａに記載した時間間隔Ｂとを比較することによって分かるように、ここに記載した方法によって、全・回生ブレーキモードから全・液圧ブレーキモードへの移行は迅速に実行可能でもある。したがって、図１に記載した時間間隔Ａ′と、これとは異なる図２ａに記載した時間間隔Ａとの比較によって分かるように、有利な全・回生ブレーキモードは、より長く実行することができる。
【００４５】
少なくとも１つのポンプは、時間間隔Ｂの間、比較的高いポンプ出力／ポンプ回転数で駆動されないので、全・回生ブレーキモードから全・液圧ブレーキモードへの移行は、低騒音および低振動で実行可能である。したがって、搭乗者を車両の高価な防音手段によってポンプ騒音および／またはポンプ振動から遮断する必要はない。したがって、ここに記載した方法は、安価な費用で有利な走行快適性を提供する。
【００４６】
図２ａおよび図２ｂの実施例によれば、時間的に一定な目標・回転数ｎ＿ｓｏｌｌは、少なくとも１つのポンプに供給される。時間的に既知である目標・回転数ｎ＿ｓｏｌｌの代わりに、時間的に一定な運転電流が目標・圧送量値として、少なくとも１つのポンプにアウトプットされてもよい。しかしながら、ここに記載した方法の実行可能性は、第１のブレーキモードから第２のブレーキモードへの移行中に一定な回転数またはこのような形式の回転数プロフィールで少なくとも１つのポンプを運転することに限定されるものではない。例えば、初期・回転数から時間的に一次関数的に目標・回転数まで上昇する目標・回転数ｎ＿ｓｏｌｌおよび／または初期・運転電流から時間的に一次関数的に目標・運転電流まで上昇する運転電流が、第１のブレーキモードから第２のブレーキモードへの移行中に目標・圧送量として少なくとも１つのポンプに供給されてもよい。ここに記載された手順は、上昇したパラメータの一次関数的な上昇に限定されるものでもない。したがって、始動時において最適化された制御プロフィールを、ここに記載した方法を実行するために使用してもよい。
【００４７】
設定またはプリセットされた目標・圧送量値による少なくとも１つのポンプの制御中に、ジェネレータのジェネレータ・ブレーキトルクＭ＿ｇｅｎが、有利には時点ｔ１と時点ｔ２との間において、設定またはプリセットされた、勾配の大きさが時間的に増大する負の勾配で減少される。これによって、時点ｔ１と時点ｔ２との間でポンプを制御することによって生ぜしめられるプログレッシブに上昇する（液圧）圧力変化に、相応に逆方向にプログレッシブに下降する（逆行的に低下する）ジェネレータ・ブレーキトルク変化で応答することができる。
【００４８】
好適な実施例によれば、時点ｔ１と時点ｔ２との間において、目標・圧送量値が、プログレッシブに上昇する圧力上昇・グラフにしたがって設定またはプリセットされる。さらに、ジェネレータのジェネレータ・ブレーキトルクＭ＿ｇｅｎは、勾配の大きさが時間的に増大する負の勾配で減少され、ジェネレータ・ブレーキトルクＭ＿ｇｅｎの時間的な変化は、プログレッシブに増大する圧力上昇・グラフとは逆方向にプログレッシブに減少する（逆行的に減少する）ブレーキトルク・グラフに相当する。これは、図２ａに、時点ｔ１と時点ｔ２との間に示されたジェネレータ・ブレーキトルクＭ＿ｇｅｎによって示されている。
【００４９】
このために、有利な形式で、設定またはプリセットされた目標・圧送量値による少なくとも１つのポンプの制御中に、ジェネレータの目標・ジェネレータ・ブレーキトルクが、目標・全ブレーキトルクを考慮して、および少なくとも１つのホイールブレーキシリンダおよび／または少なくとも１つのブレーキ回路内に形成された液圧的なブレーキ圧に関連した値を考慮して設定される。少なくとも１つの考慮された値は、例えば、測定され、評価されかつ／または論理的なモデルを用いて導き出された液圧的なブレーキ圧であってよい。次いで、ジェネレータのジェネレータ・ブレーキトルクＭ＿ｇｅｎが、設定された目標・ジェネレータ・ブレーキトルクに応じて調節される。この場合、好適な形式で、ジェネレータ・ブレーキトルクＭ＿ｇｅｎは、少なくとも１つのホイールブレーキシリンダの形成された／上昇した液圧的なブレーキトルクと、時点ｔ１と時点ｔ２との間の減少されたジェネレータ・ブレーキトルクＭ＿ｇｅｎとの合計が目標・ジェネレータ・ブレーキトルクに相当するように、調整／減少される。
【００５０】
図３は、操作装置の実施例の概略図である。
【００５１】
図３に概略的に示された操作装置１０によって、車両の回生ブレーキ装置は、上述した方法が実行できるように、制御可能である。この操作装置の適用可能性は、回生ブレーキ装置の特定の型式に限定されるものではないことを指摘しておく。この操作装置によって、図２ａおよび図２ｂによって示された方法とは異なる回生ブレーキ装置を運転するための方法も実行可能である。
【００５２】
操作装置１０は制御装置１２を有しており、該制御装置１２によって、少なくとも１つのジェネレータ・制御信号１４がブレーキ装置の（図示していない）ジェネレータにアウトプット可能であり、またブレーキ液圧送装置・制御信号１６がブレーキ装置の少なくとも１つの（図示していない）ブレーキ液圧送装置にアウトプット可能である。制御信号１４および１６によって、ブレーキ装置は、少なくとも第１のブレーキモードと第２のブレーキモードとの間で制御可能である。
【００５３】
第１のブレーキモードにおいて、少なくとも１つのホイールおよび／またはアクスルに作用する、ジェネレータのジェネレータ・ブレーキトルクが、ジェネレータ・制御信号１４によって、ゼロに等しくなく、しかも車両の運転者によっておよび／または自動速度制御装置によってプリセットされた目標・全ブレーキトルクの、第１のブレーキモードのためにプリセットされた第１の回生・部分に等しくなるように調節可能である。ブレーキ装置を、第１のブレーキモードから、第１の回生・部分よりも小さい第２の回生・部分を有する第２のブレーキモードへ制御するために、少なくとも１つブレーキ液圧送装置がブレーキ液圧送装置・制御信号１６によって次のように制御可能、つまり、ブレーキ液が少なくとも１つのブレーキ液圧送装置によってブレーキ装置のリザーバから少なくとも１つのホイールブレーキシリンダおよび／または少なくとも１つのブレーキ回路にポンプ供給可能となるように、制御可能である。特に、ブレーキ液圧送装置・制御信号１６によって、時間的に増大する目標・圧力上昇を有する目標・ブレーキ圧のために設定またはプリセットされた目標・圧送量値がブレーキ液圧送装置にアウトプット可能である。このような形式で、少なくとも１つのブレーキ液圧送装置・制御信号１６により制御されたブレーキ液圧送装置によって、時間的に増大する実際・圧力上昇を有する実際・ブレーキ圧が、少なくとも１つのホイールブレーキシリンダおよび／または少なくとも１つのブレーキ回路内に形成される。
【００５４】
例えば、ブレーキ液圧送装置・制御信号１６によって時間的に一定な目標・回転数が、少なくとも１つのブレーキ液圧送装置としての少なくとも１つのポンプにアウトプット可能である。このために、選択的にまたは補足的に、時間的に一定な運転電流が目標・圧送量値としてブレーキ液圧送装置・制御信号１６によって、少なくとも１つのブレーキ液圧送装置としての少なくとも１つのポンプにアウトプット可能である。同様に、ブレーキ液圧送装置・制御信号１６によって、初期・回転数から出発して時間的に一次関数的に目標・回転数まで上昇する目標・回転数および／または初期・運転電流から出発して時間的に一次関数的に目標・運転電流まで上昇する運転電流が、目標・圧送量値として少なくとも１つのポンプにアウトプット可能である。ブレーキ液圧送装置・制御信号１６は、この実施例で挙げられた値のほかに、別の目標・圧送量値を有していてもよい。
【００５５】
好適には、少なくとも１つのブレーキ液圧送装置の制御中（設定またはプリセットされた目標・圧送量値による）に、ジェネレータの目標・ジェネレータ・ブレーキトルクが、目標・全ブレーキトルクを考慮して、かつ少なくとも１つのホイールブレーキシリンダ内および／または少なくとも１つのブレーキ回路内に形成された液圧のブレーキ圧に関連して提供された値を考慮して、設定可能であり、この場合、ジェネレータ・ブレーキトルクはジェネレータ・制御信号１４によって、設定された目標・ジェネレータ・ブレーキトルクに応じて調節可能である。特に（設定またはプリセットされた目標・圧送量値による少なくとも１つのブレーキ液圧送装置の制御中に）、ジェネレータはジェネレータ・制御信号１４によって、ジェネレータ・ブレーキトルクが、設定またはプリセットされた、勾配の大きさが時間的に増大する負の勾配で減少されるように、制御可能である。
【００５６】
この操作装置１０は、前記において既に列挙した複数の利点（これらの利点を新たに説明することは省く）を実現する。これらの利点は、この操作装置１０を備えた車両のための回生ブレーキ装置によっても実現可能である。
【符号の説明】
【００５７】
１０  操作装置
１２  制御装置
１４  ジェネレータ・制御信号
１６  ブレーキ液圧送装置・制御信号
Ａ，Ａ′，Ｂ、Ｂ′  時間間隔
ｋ  圧力・体積特性曲線
ｎ＿ｓｏｌｌ  目標・回転数、目標・圧送量値
ｐｂ  ブレーキ圧
ｐ＿ｉｓｔ  実際・ブレーキ圧
ｐ０  初期・ブレーキ圧
ｐ＿ｓｏｌｌ  目標・ブレーキ圧
ｓ  ブレーキ操作ストローク
ｓ０  初期ブレーキ操作ストローク
ｔ  時間軸
ｔ０，ｔ１，ｔ２  時点
Ｖ  ブレーキ液体積
Ｖｇ  限界体積
ｖ０  初期速度
Ｖｔ  デッドボリューム
Ｍ＿ｇｅｎ  ジェネレータ・ブレーキトルク
【図１】
0006297267.tif 000002
【図２ａ】
0006297267.tif 000003
【図２ｂ】
0006297267.tif 000004
【図３】
0006297267.tif 000005